(57)【要約】【課題】  遊戯施設内で入場者が撮影する写真の記念品としての価値を高める。【解決手段】  写真提供システム１０は、注文受け付けサーバー１２と、複数のプリンタ１３とからなり、遊園地などの遊戯施設内に設置される。プリンタ１３は、遊戯施設内の複数のエリア毎に設置される。注文受け付けサーバー１２は、入場者が携帯する注文携帯端末であるカメラ１４から撮影画像の注文を無線により受け付ける。そして、カメラ１４から送信される位置情報に応じて、カメラ１４の位置を検知し、注文者が居るエリアを特定する。さらに、そのアトラクションやキャラクターに関連する装飾画像を撮影画像と合成して、注文者が居るエリアに最も近いプリンタ１３にプリントを実行させる。【選択図】        図１
2005203828.tif 000002
【特許請求の範囲】
【請求項１】
遊戯施設への入場者が携帯するカメラで撮影した撮影画像のプリント注文を受け付けるプリント注文受付装置と、遊戯施設内に設置され、注文を受け付けた撮影画像をプリントするプリンタとからなり、撮影画像をプリントしたプリント写真を入場者へ提供する写真提供システムにおいて、
前記プリント注文受付装置は、入場者が携帯する注文申し込み端末から送信された前記撮影画像のデータを含む注文申し込み情報を、無線により受信するとともに、受け付けた撮影画像を前記プリンタへ送信する無線通信部と、前記遊戯施設に関連する装飾画像を記憶するデータストレージデバイスと、前記装飾画像と前記撮影画像とを合成する画像合成部とを備えており、前記プリンタは、前記合成画像をプリントすることを特徴とする写真提供システム。
【請求項２】
前記装飾画像は、前記遊戯施設内の複数のエリア毎に異なる種類の装飾画像を含んでおり、前記プリント注文受付装置は、注文申し込み端末から送信される位置情報に基づいて、注文者の現在位置を調べ、そこに最も近いエリアを特定し、特定されたエリアに応じた装飾画像を選択することを特徴とする請求項１記載の写真提供システム。
【請求項３】
前記プリンタは、前記遊戯施設内の複数のエリアに設置されており、前記プリント注文受付装置は、注文申し込み端末から送信される位置情報に基づいて、遊戯施設内の複数のプリンタの中から、前記注文申し込み端末の最も近くにあるプリンタを特定し、特定したプリンタにプリントを実行させることを特徴とする請求項１又は２記載の写真提供システム。
【請求項４】
前記無線通信部は、前記合成画像を注文申し込み端末に配信可能なことを特徴とする請求項１〜３いずれか記載の写真提供システム。
【請求項５】
遊戯施設への入場者が携帯するカメラで撮影した撮影画像のプリント注文を注文受け付け装置によって受け付けて、受け付けた撮影画像を前記遊戯施設内に設置されたプリンタによってプリントして、プリント写真を入場者へ提供する写真提供方法において、
注文申し込み端末から送信され前記撮影画像のデータを含む注文申し込み情報を、前記注文受け付け装置が無線により受信し、予めデータストレージデバイスに記憶され前記遊戯施設に関連する装飾画像と前記撮影画像とを合成し、得られた合成画像をプリントすることを特徴とする写真提供方法。
【請求項６】
前記注文申し込み端末から位置情報を取得し、その位置情報に基づいて、前記遊戯施設内の複数のエリアから最も近傍のエリアを特定し、そのエリアに対応する装飾画像を選択して、画像合成を行うことを特徴とする請求項５記載の写真提供方法。
【請求項７】
前記注文申し込み端末から位置情報を取得し、その位置情報に基づいて、前記遊戯施設内の複数のエリアに設置される複数のプリンタの中から、前記注文申し込み端末の最も近くにあるプリンタを特定し、特定したプリンタにプリントを実行させることを特徴とする請求項５又は６記載の写真提供方法。
【請求項８】
画像合成を行った後に、前記注文受け付け端末へ合成画像を配信し、注文者からの注文確定通知を待ってプリント処理を開始することを特徴とする請求項５〜７いずれか記載の写真提供方法。
【請求項９】
遊戯施設への入場者が携帯するカメラで撮影した撮影画像のプリント注文を受け付けて、受け付けた撮影画像をプリントし、そのプリント写真を入場者へ提供する写真提供システムに用いられるプリント注文受け付け装置において、
入場者が携帯する注文申し込み端末から送信された前記撮影画像のデータを含む注文申し込み情報を、無線により受信するとともに、受け付けた撮影画像をプリンタへ送信する無線通信部と、前記遊戯施設に関連する装飾画像を記憶するデータストレージデバイスと、前記装飾画像と前記撮影画像とを合成する画像合成部とを備えていることを特徴とするプリント注文受け付け装置。
【請求項１０】
前記注文申し込み端末から位置情報を取得し、その位置情報に基づいて、前記遊戯施設内の複数のエリアから最も近傍のエリアを特定し、そのエリアに対応する装飾画像を選択する装飾画像選択部を備えていることを特徴とする請求項９記載のプリント注文受け付け装置。
【請求項１１】
前記注文申し込み端末から位置情報を取得し、その位置情報に基づいて、前記遊戯施設内の複数のエリアに設置された複数のプリンタの中から、前記注文申し込み端末の位置に最も近い場所にあるプリンタを特定するプリンタ特定部を備えていることを特徴とする請求項９又は１０記載のプリント注文受け付け装置。
【請求項１２】
画像合成を行った後に、前記注文受け付け端末へ合成画像を配信し、注文者からの注文確定通知を待って、プリンタに対してプリント処理の実行指示を与えることを特徴とする請求項９〜１１いずれか記載のプリント注文受け付け装置。
【請求項１３】
遊戯施設への入場者が携帯するカメラで撮影した撮影画像のプリント注文を、プリント注文受け付け装置によって受け付けて、仕上がったプリント写真を入場者へ提供する写真提供システムに用いられ、受け付けた撮影画像のプリント処理を実行するプリンタにおいて、
前記プリント注文受け付け装置と無線によって通信する無線通信部を備えており、前記プリント注文受け付け装置から前記無線通信部を介して送信されるプリント指示を受けて、前記プリント処理を実行することを特徴とするプリンタ。
【発明の詳細な説明】
【技術分野】
【０００１】
本発明は、遊戯施設内で撮影された撮影画像のプリント注文を受け付けて、プリント写真を入場者に提供する写真提供システム及び方法、並びにこれに用いられるプリント注文受け付け装置及びプリンタに関するものである。
【背景技術】
【０００２】
遊園地などの遊技施設において、入場者にカメラを貸与し、そのカメラで撮影された画像を無線通信ネットワークを介して受信して、そのプリント注文を受け付ける施設写真提供システムが知られている（例えば、下記特許文献１参照）。この施設写真提供システムによれば、入場者は、施設内で撮影画像のプリント注文を申し込むことができるとともに、仕上がったプリント写真をカメラ返却時に受け取ることができる。
【０００３】
【特許文献１】特開２００１−３０９２８４号公報
【発明の開示】
【発明が解決しようとする課題】
【０００４】
ところで、調査によれば、入場者のほとんどが入場の記念として写真撮影をしており、そのうちの多くの人々は、撮影した写真に入場の記念となる装飾を施すことで記念品としての価値をより高めたいと考えていることがわかった。しかしながら、上記施設写真提供システムでは、撮影した画像をプリントするのみであり、入場者のこうした要望に応えることができない。
【０００５】
また、遊戯施設内には、複数のアトラクションやレストランなどがあるが、人気のあるアトラクションやレストランでは待ち時間が非常に長い。こうした待ち時間は、入場者の多くにとっては精神的苦痛を強いられる時間であり、その精神的苦痛を緩和するための有効な対策が望まれていた。
【０００６】
本発明の目的は、遊戯施設内で入場者が撮影する写真の記念品としての価値を高める写真提供システム及び方法を提供することである。
【０００７】
また、本発明の別の目的は、遊戯施設内で入場者が強いられる待ち時間の精神的苦痛を緩和する写真提供システム及び方法、並びにこれらに用いられるプリント注文受け付け装置及びプリンタを提供することである。
【課題を解決するための手段】
【０００８】
本発明の写真提供システムは、遊戯施設への入場者が携帯するカメラで撮影した撮影画像のプリント注文を受け付けるプリント注文受付装置と、遊戯施設内に設置され、注文を受け付けた撮影画像をプリントするプリンタとからなり、撮影画像をプリントしたプリント写真を入場者へ提供する写真提供システムにおいて、前記プリント注文受付装置は、入場者が携帯する注文申し込み端末から送信された前記撮影画像のデータを含む注文申し込み情報を、無線により受信するとともに、受け付けた撮影画像を前記プリンタへ送信する無線通信部と、前記遊戯施設に関連する装飾画像を記憶するデータストレージデバイスと、前記装飾画像と前記撮影画像とを合成する画像合成部とを備えており、前記プリンタは、前記合成画像をプリントすることを特徴とする。
【０００９】
なお、前記装飾画像は、前記遊戯施設内の複数のエリア毎に異なる種類の装飾画像を含んでおり、前記プリント注文受付装置は、注文申し込み端末から送信される位置情報に基づいて、注文者の現在位置を調べ、そこに最も近いエリアを特定し、特定されたエリアに応じた装飾画像を選択することが好ましい。
【００１０】
なお、前記プリンタは、前記遊戯施設内の複数のエリアに設置されており、前記プリント注文受付装置は、注文申し込み端末から送信される位置情報に基づいて、遊戯施設内の複数のプリンタの中から、前記注文申し込み端末の最も近くにあるプリンタを特定し、特定したプリンタにプリントを実行させることが好ましい。
【００１１】
なお、前記無線通信部は、前記合成画像を注文申し込み端末に配信可能なことが好ましい。
【００１２】
また、本発明の写真提供方法は、遊戯施設への入場者が携帯するカメラで撮影した撮影画像のプリント注文を注文受け付け装置によって受け付けて、受け付けた撮影画像を前記遊戯施設内に設置されたプリンタによってプリントして、プリント写真を入場者へ提供する写真提供方法において、注文申し込み端末から送信され前記撮影画像のデータを含む注文申し込み情報を、前記注文受け付け装置が無線により受信し、予めデータストレージデバイスに記憶され前記遊戯施設に関連する装飾画像と前記撮影画像とを合成し、得られた合成画像をプリントすることを特徴とする。
【００１３】
なお、前記注文申し込み端末から位置情報を取得し、その位置情報に基づいて、前記遊戯施設内の複数のエリアから最も近傍のエリアを特定し、そのエリアに対応する装飾画像を選択して、画像合成を行うことが好ましい。
【００１４】
なお、前記注文申し込み端末から位置情報を取得し、その位置情報に基づいて、前記遊戯施設内の複数のエリアに設置される複数のプリンタの中から、前記注文申し込み端末の最も近くにあるプリンタを特定し、特定したプリンタにプリントを実行させることが好ましい。
【００１５】
なお、画像合成を行った後に、前記注文受け付け端末へ合成画像を配信し、注文者からの注文確定通知を待ってプリント処理を開始することが好ましい。
【００１６】
また、本発明のプリント注文受け付け装置は、遊戯施設への入場者が携帯するカメラで撮影した撮影画像のプリント注文を受け付けて、受け付けた撮影画像をプリントし、そのプリント写真を入場者へ提供する写真提供システムに用いられるプリント注文受け付け装置において、入場者が携帯する注文申し込み端末から送信された前記撮影画像のデータを含む注文申し込み情報を、無線により受信するとともに、受け付けた撮影画像をプリンタへ送信する無線通信部と、前記遊戯施設に関連する装飾画像を記憶するデータストレージデバイスと、前記装飾画像と前記撮影画像とを合成する画像合成部とを備えていることを特徴とする。
【００１７】
なお、前記注文申し込み端末から位置情報を取得し、その位置情報に基づいて、前記遊戯施設内の複数のエリアから最も近傍のエリアを特定し、そのエリアに対応する装飾画像を選択する装飾画像選択部を備えていることが好ましい。
【００１８】
なお、前記注文申し込み端末から位置情報を取得し、その位置情報に基づいて、前記遊戯施設内の複数のエリアに設置された複数のプリンタの中から、前記注文申し込み端末の位置に最も近い場所にあるプリンタを特定するプリンタ特定部を備えていることが好ましい。
【００１９】
なお、画像合成を行った後に、前記注文受け付け端末へ合成画像を配信し、注文者からの注文確定通知を待って、プリンタに対してプリント処理の実行指示を与えることが好ましい。
【００２０】
また、本発明のプリンタは、遊戯施設への入場者が携帯するカメラで撮影した撮影画像のプリント注文を、プリント注文受け付け装置によって受け付けて、仕上がったプリント写真を入場者へ提供する写真提供システムに用いられ、受け付けた撮影画像のプリント処理を実行するプリンタにおいて、前記プリント注文受け付け装置と無線によって通信する無線通信部を備えており、前記プリント注文受け付け装置から前記無線通信部を介して送信されるプリント指示を受けて、前記プリント処理を実行することを特徴とする。
【発明の効果】
【００２１】
本発明は、遊戯施設への入場者が携帯するカメラで撮影した撮影画像のプリント注文を注文受け付け装置によって受け付けて、受け付けた撮影画像を前記遊戯施設内に設置されたプリンタによってプリントして、プリント写真を入場者へ提供する写真提供方法において、注文申し込み端末から送信され前記撮影画像データを含む注文申し込み情報を、前記注文受け付け装置が無線により受信し、予めデータストレージデバイスに記憶され前記遊戯施設に関連する装飾画像と前記撮影画像とを合成し、得られた合成画像をプリントするから、遊戯施設内で入場者が撮影する写真の記念品としての価値を高めることができる。      
【００２２】
また、プリンタを遊戯施設内のエリア毎に設置して、注文者が居る場所に最も近いプリンタでプリントするようにしたから、アトラクション等の待ち時間の間、プリント写真を楽しむことができるので、待ち時間の精神的苦痛が緩和される。
【発明を実施するための最良の形態】
【００２３】
図１に示す写真提供システム１０は、遊園地等の遊戯施設１１に設置され、遊戯施設内において入場者が撮影した撮影画像のプリント注文を受け付けてそのプリント写真１６を提供する。写真提供システム１０は、プリント注文を受け付ける注文受け付けサーバー１２と、複数のプリンタ１３とからなる。遊戯施設１１内には、複数のアトラクションやレストランなどがあり、各プリンタ１３は、各アトラクションやレストランが設置される各エリアＡ〜Ｃにそれぞれ設置されている。エリアＡ及びエリアＢは、例えば、ジェットコースターや遊覧船などのアトラクション設備が存在するアトラクションエリアであり、エリアＣは、レストランや喫茶店などの休憩所が存在するエリアである。
【００２４】
各プリンタ１３は、注文受け付けサーバー１２からのプリント指示に基づいてプリント処理を実行する。注文受け付けサーバー１２と各プリンタ１３とは、無線通信ネットワークを介してデータ通信可能に接続されており、前記無線ネットワークを介してデータの送受信を行う。
【００２５】
入場者にはデジタルスチルカメラ（以下、単にカメラという）１４が貸与され、入場者はこのカメラ１４を携帯して施設内を周遊しながら写真撮影を楽しむことができる。このカメラ１４は、撮影した画像のプリント注文を申し込む注文申し込み端末として機能する。入場者は、このカメラ１４で撮影した撮影画像のプリントを、カメラ１４を操作して注文する。カメラ１４は、注文受け付けサーバー１２との間で無線ネットワークを介して通信可能に接続されており、カメラ１４で撮影した画像データを含むプリント注文の申し込み情報は、無線ネットワークを介して、注文受け付けサーバー１２に送信される。また、カメラ１４はＧＰＳ衛星１８からの電波を受信して現在の位置情報を取得する。この位置情報は、前記注文申し込み情報に含まれて注文受け付けサーバー１２に送信される。
【００２６】
注文受け付けサーバー１２は、その位置情報に基づいて、カメラ１４の位置を把握して、その近傍のプリンタ１３を特定し、特定したプリンタ１３に対してプリント指示を与える。このため、注文者は最寄りの場所で仕上がったプリント写真１６を受け取ることができる。また、注文受け付けサーバー１２は、受け付けた撮影画像と予め用意した装飾画像とを合成する画像合成機能を備えている。装飾画像としては、アトラクションや建物、風景などの画像の他、アトラクション等の名称、ロゴマークなどが用いられる。こうした装飾が施された合成画像が、プリント画像がプリントされてプリント写真１６として注文者に提供される。
【００２７】
図２は、注文受け付けサーバー１２，プリンタ１３，カメラ１４の電気構成の概略を示すブロック図である。カメラ１４は、本体部２１，メモリ２２，ＧＰＳ受信機２３，無線通信Ｉ／Ｆ２４からなる。本体部２１は、撮影レンズやＣＣＤイメージセンサなどの撮像部と、この撮像部から得られた撮影画像データに対して画質補正処理、データ圧縮処理などの各種の画像処理を施す画像処理部と、画像再生及び操作画面を表示するディスプレイと、カメラ各部を制御する制御部とからなる。メモリ２２は、処理済みの画像データを記憶するとともに、予め付与されたカメラＩＤを記憶する。ＧＰＳ受信機２３は、ＧＰＳ衛星１８からの電波を受信してそれを緯度及び経度からなる位置情報に変換する。無線通信Ｉ／Ｆ２４は、注文受け付けサーバー１２との間でのデータの送受信を制御する。この無線通信Ｉ／Ｆ２４を介して、メモリ２２に記憶された撮影画像データやカメラＩＤの他、ＧＰＳ受信機２３の位置情報が注文受け付けサーバー１２に送信される。
【００２８】
プリンタ１３は、制御部３１と、プリント部３２と、無線通信Ｉ／Ｆ３３とからなる。プリント部３２は、用紙が装填される給紙部，受信した画像データに基づいてプリントヘッドを駆動してプリント処理を実行するプリント機構とからなる。プリンタ１３は、無線通信Ｉ／Ｆ３３を介して、注文受け付けサーバー１２からのコマンドやプリント画像データを受信する。制御部３１は、注文受け付けサーバー１２からのコマンドに基づいて各部を制御する。制御部３１は、プリントが完了した場合には、その完了通知を、無線通信Ｉ／Ｆ３３を介して注文受け付けサーバー１２に送信する。
【００２９】
注文受け付けサーバー１２は、ＣＰＵ４１，ＲＡＭ４２，画像合成部４３，ストレージデバイス４４，プリンタ位置情報テーブル４６，カメラ位置検知部４８，無線通信Ｉ／Ｆ４９からなる。ＣＰＵ４１は、注文受け付けサーバー１２の各部を統括的に制御する。ＲＡＭ４２は、ＣＰＵ４１が各種の処理を実行する際に使用するワークメモリである。プリンタ位置情報テーブル４６は、各プリンタ１３のプリンタＩＤと、それぞれが設置されるエリア情報とを対応付けて記憶したテーブルメモリである。ＣＰＵ４１は、このプリンタ位置情報テーブル４６を参照して、所望のエリアに存在するプリンタＩＤを特定する。
【００３０】
画像合成部４３は、撮影画像と装飾画像との合成処理をする。ＨＤＤ（ハードディスクドライブ）４４は、大量のデータを記憶するデータストレージデバイスであり、注文を受け付けた撮影画像データを記憶するとともに、予め用意された装飾画像データを記憶する。ＨＤＤ４４内には、撮影画像データを格納する撮影画像フォルダ５１と、装飾画像を格納する装飾画像フォルダ５２とが設けられている。
【００３１】
装飾画像には、各アトラクションの画像、アトラクション名、レストランの建物、キャラクター名やキャラクターの画像などが含まれている。また、装飾画像の形式としては、撮影画像の下部や上部などに挿入される文字画像，撮影画像を取り囲む枠形式のフレーム画像，撮影画像の一部にキャラクターの図柄などワンポイントのアクセントを付けるためのはめ込み画像など各種のものがある。装飾画像フォルダ５２には、エリア毎に複数のサブフォルダ５２ａ，５２ｂ，５２ｃ・・・、が設けられており、装飾画像はそれが関連するエリア毎にまとめられて、対応するエリアのサブフォルダに格納される。
【００３２】
カメラ位置検知部４８は、カメラ１４から送信された位置情報（緯度，経度情報）に基づいて、カメラ位置を検知する。カメラ位置検知部４８内のメモリには、各エリアと、緯度，経度情報とを対応付けて記憶するルックアップテーブルが設けられており、そのカメラ１４がどのエリアに存在するかを特定する。また、カメラ位置検知部４８は、カメラＩＤを指定してカメラ１４に対してそのカメラ１４が現在どの位置にいるかを探知する探知情報を送信して、カメラ１４の位置を探知する。
【００３３】
ＣＰＵ４１は、カメラ１４からの注文申し込み情報を受信すると、カメラ位置検知部４８によって特定されたエリアに対応する装飾画像を、前記装飾画像フォルダ５２から選択して抽出する。そして、画像合成部４３が、抽出された装飾画像と、受け付けた撮影画像とを合成して合成画像を作成する。ＣＰＵ４１は、この合成画像を無線通信Ｉ／Ｆ４９を介して、カメラ１４へ配信する。合成画像は、例えば、本画像と比較してサイズが小さいサムネイル画像で配信される。特定されたエリアに対応する装飾画像が複数ある場合には、各装飾画像と合成処理された複数のサムネイル画像が配信される。
【００３４】
注文者は、カメラ１４のディスプレイで配信されたサムネイル画像を確認して、所望のサムネイル画像を選択して、注文受け付けサーバー１２に対して注文確定通知を送信する。この注文確定通知にも位置情報が含まれており、ＣＰＵ４１は、その位置情報に基づいてカメラ１４の位置に最も近い場所にあるプリンタ１３を特定し、そのプリンタ１３へ注文が確定した合成画像のプリント画像データを送信する。このプリント画像データには、仕上がったプリント写真の注文者が誰かを特定できるように、例えば、カメラＩＤが含まれており、そのカメラＩＤはプリント写真の裏面等に印刷される。プリント処理が完了すると、プリンタ１３は、注文受け付けサーバー１２に対して、カメラＩＤとともにプリント処理終了通知を送信する。注文受け付けサーバー１２は、この処理終了通知を受けると、カメラ１４に対して、プリント完了通知を送信する。
【００３５】
プリンタ１３が設置される写真引き取り所には、係員が常駐しており、この係員が代金と引き替えにプリント写真を注文者に引き渡す。係員は、プリンタ１３あるいは携帯端末から、そのカメラＩＤとともに引き渡し完了通知を注文受け付けサーバー１２に送信する。
【００３６】
また、ＣＰＵ４１は、カメラ１４から注文確定通知を受けると、所定時間間隔でカメラ１４へ探知情報を送信することにより、カメラ１４の位置の監視をする。というのは、申し込みを行った入場者が仕上がったプリント写真の受け取りをうっかり忘れてしまうことも考えられる。このため、注文受け付けサーバー１２は、注文が確定した後、引き渡しが完了するまでの間、カメラ１４の位置を監視して、万が一注文を行った入場者が発注したエリアの外に出てしまった場合には、カメラ１４に警告情報を送信して、入場者に対してプリント写真の受け取りを促す。なお、発注したエリアの内外に関わらず、引き取り通知が無い場合には、所定時間間隔で警告情報を送信してもよい。また、こうした警告をしても注文者が引き取りにこない場合には、引き取りに来るまでの間、注文の申し込みを禁止するようにしてもよい。
【００３７】
以下、上記構成による作用について図３のフローチャートを参照しながら説明する。入場者は遊戯施設内を周遊しながら、あるいは、人気のあるアトラクションやレストランの待ち時間を利用して撮影を楽しむ。そして、その待ち時間を利用して、カメラ１４から所望の撮影画像のプリント注文を行う。これにより、入場者は、もてあました待ち時間を有効に利用できるので、精神的苦痛が緩和される。
【００３８】
注文受け付けサーバー１２は、カメラ１４からの注文申し込み情報を受信すると、その情報に含まれる位置情報から近傍のエリアを特定する。そして、特定したエリアに応じた装飾画像を抽出し、抽出した装飾画像と、受け付けた撮影画像とを合成して、合成画像をカメラ１４へ配信する。
【００３９】
注文者は、配信された合成画像をカメラ１４のディスプレイで見ながら、所望の合成画像を選ぶ。気に入った合成画像が無い場合には、この段階で申し込みをキャンセルする。気に入った合成画像が有る場合には、所望の合成画像を選択して、カメラ１４から注文受け付けサーバー１２に対して注文確定通知を送信する。
【００４０】
注文受け付けサーバー１２は、注文確定通知を受信すると、プリンタ位置情報テーブル４６から位置情報に対応したプリンタＩＤを抽出して、カメラ１４に最も近いプリンタ１３を特定する。そして、特定したプリンタ１３に対してプリント画像を送信してプリント指示を与える。同時に、注文受け付けサーバー１２は、カメラ１４の位置の監視を開始する。
【００４１】
プリンタ１３がプリント処理を完了すると、注文受け付けサーバー１２は、カメラ１４へプリント完了通知を送る。注文者は、最寄りの引き取り場所でプリント写真１６を受け取る。プリント画像は、撮影画像に装飾が施されているので、記念写真として価値が高まる。アトラクションやキャラクターの図柄や名称を付したアトラクショングッズやキャラクターグッズは、記念品として非常に人気が高いため、こうした装飾を施したプリント写真も相当の需要が見込まれる。
【００４２】
また、従来の写真提供システムでは、貸与されたカメラの返却時に、プリント写真が引き渡されるしくみになっていたが、本写真提供システムでは、カメラ１４を返却することなく、プリント写真を引き取ることができるので、例えば、写し込みたい被写体が欠けていたり、ピントが合っていないなど、プリント写真に不満がある場合には、撮り直しを行って、再度プリントの注文をすることも可能である。
【００４３】
係員は、プリント写真１６の引き渡しを完了すると、引き渡し完了通知を注文受け付けサーバー１２に送信し、これを受信した注文受け付けサーバー１２は、カメラ１４の監視を終了する。注文受け付けサーバー１２は、プリント完了通知を受信した後、所定時間経過した後も引き渡し通知が無い場合には、カメラ１４が特定のエリア外に出たかどうかを調べる。カメラ１４が発注したエリアの外に出た場合には、カメラ１４に対して引き取りを促す警告メッセージを送信する。
【００４４】
上記実施形態では、プリント注文の申し込みがなされると、注文受け付けサーバーが撮影画像と装飾画像とを合成し、その合成画像を注文者へ配信して、注文者にその合成画像を確認させるようにしているが、合成画像を配信する代わりに、装飾画像のみを配信して確認させるようにしてもよい。
【００４５】
上記実施形態では、注文受け付けサーバーは、カメラから注文の申し込みがあるまでは、アクションを起こさない例で説明しているが、例えば、注文受け付けサーバーからプリント注文の案内情報をカメラへ送信して、プリント注文を勧誘するようにしてもよい。
【００４６】
上記実施形態では、注文受け付けサーバーが、カメラ位置に応じてその近傍のエリアを特定し、特定したエリアの装飾画像を選択して、撮影画像と合成するようにしているが、例えば、エリアＡにいる注文者がエリアＢの装飾画像を選択するというように、カメラ位置に関わらず、注文者が装飾画像を選択できるようにしてもよい。
【００４７】
上記実施形態では、各エリア毎にプリンタを設けた例で説明しているが、各エリア内のプリンタの台数は、プリント注文の量に応じて適宜選択が可能である。また、各エリア毎にプリンタを設けなくてもよく、例えば、複数のエリアに対して１台設けてもよいし、遊戯施設全体で１台だけでもよい。
【００４８】
また、上記実施形態では、カメラに注文申し込み端末機能を付加してカメラを注文申し込み端末として使用した例で説明しているが、カメラとは独立した注文申し込み端末を使用してもよい。この場合には、カメラと注文申し込み端末を通信可能に接続して注文申し込み端末へカメラの画像を送信できるようにする必要がある。しかし、こうすれば、カメラに注文申し込み機能が不要となるので、入場者が持ち込んだカメラで撮影を行うことが可能となる。
【図面の簡単な説明】
【００４９】
【図１】写真提供システムの概要図である。
【図２】注文受け付けサーバー、プリンタ、カメラの電気構成の概略を示すブロック図である。
【図３】プリント注文受け付け手順を示すフローチャートである。
【符号の説明】
【００５０】
１０  写真提供システム
１１  遊戯施設
１２  注文受け付けサーバー
１３  プリンタ
１４  カメラ
４１  ＣＰＵ
４３  画像合成部
４４  ＨＤＤ
４８  カメラ位置検知部
４９  無線通信Ｉ／Ｆ
５１  撮影画像フォルダ
５２  装飾画像フォルダ
【図１】
2005203828.tif 000003
【図２】
2005203828.tif 000004
【図３】
2005203828.tif 000005